(57)【特許請求の範囲】
【請求項１】
貯湯タンクと、
前記貯湯タンク内の湯水の温度を検出する複数の残湯温度センサと、
前記残湯温度センサの検出値から、前記貯湯タンク内の残湯量を演算する残湯量演算手
段と、
前記残湯量演算手段の演算結果を表示する残湯量表示手段と、
を備えた貯湯式給湯機であって、
前記残湯量演算手段は、前記残湯量センサの検出値が所定の閾値よりも高い場合に残湯
有と判断する第１の判定基準と、
前記残湯量センサの検出値が前記所定の閾値よりも高い第２の閾値より高い場合に残湯有
と判断する第２の判定基準と、
を有するとともに、
前記貯湯式給湯機の動作状態を表示する動作状態表示部を備え、
使用者の操作または前記貯湯式給湯機を前記使用者が利用することによって、前記貯湯
タンク内の湯量に変化を生じた場合、
前記動作状態表示部にその動作状態を表示するとともに、前記残湯量演算手段による残
湯量の演算に、前記第１の判定基準を用いることを特徴とする貯湯式給湯機。
【請求項２】
貯湯タンクと、
前記貯湯タンク内の温度を検出する１つ以上の残湯温度センサと、
前記各残湯温度センサで検出した温度を第１の湯下限温度または前記第１の湯下限温度
より高い第１の水上限温度と比較して湯か水かを判断する第１の判定基準と、
前記各残湯温度センサで検出した温度を前記第１の湯下限温度以下の第２の湯下限温度
または第１の水上限温度以上の第２の水上限温度と比較して湯か水かを判断する第２の判
定基準と、
前記第１の判定基準または前記第２の判定基準によって判定した湯水情報から前記貯湯
タンクに蓄えられた残湯量を演算する残湯量演算手段と、
前記残湯量演算手段で演算した残湯量を表示する残湯量表示部と、
前記第１の判定基準または前記第２の判定基準のうち１つを選択する判定温度選択手段
と、
を備えたことを特徴とする貯湯式給湯機。
【請求項３】
前記貯湯式給湯機の動作状態を表示する動作状態表示部を備え、
使用者の操作または前記貯湯式給湯機を前記使用者が利用することによって、前記貯湯
タンク内の湯量に変化を生じた場合、
前記動作状態表示部にその動作状態を表示するとともに、前記残湯量演算手段による残
湯量の演算に、前記第１の判定基準を用いることを特徴とする、
請求項２記載の貯湯式給湯機。
【請求項４】
所定時間、前記貯湯タンク内の残湯量に変化がない場合、
前記残湯量演算手段は、
前記第２の判定基準を用いて残湯量を判断するモードに移行し、前記第２の判定基準に
より前記貯湯タンクの残湯量の変化を検出した場合、前記第１の判定基準を用いて残湯量
を判断するモードに移行すること、
を特徴とする、請求項１乃至３のいずれか１つに記載の貯湯式給湯機。
【請求項５】
前記貯湯式給湯機が、前記貯湯タンク内の湯の増減に係わる動作を実行していないとき
は、
前記残湯量演算手段は、前記第２の判定基準を用いて残湯量を判断することを特徴とする
、
請求項１乃至４のいずれか１つに記載の貯湯式給湯機。
【請求項６】
前記貯湯式給湯機の、前記使用者の操作によらず動く機能が動作したときは、
前記残湯量演算手段は、前記第２の判定基準を用いて残湯量を判断することを特徴とする
、
請求項１乃至５のいずれか１つに記載の貯湯式給湯機。
【発明の詳細な説明】
【技術分野】
【０００１】
本発明は、貯湯式給湯機に関するものである。
【背景技術】
【０００２】
従来の貯湯式給湯機は、貯湯タンクの湯量（残湯量）表示手段として、貯湯タンク内部の湯温を検出する複数の温度センサにより検出された検出温度が下限温度以上、下限と上限温度の間、上限温度以下であるかを判別し、温度センサ設置位置別に各検出温度を表示するもの（特許文献１）や、複数の温度センサの検出温度と設置位置間隔との積から貯湯熱量を演算し、一方、貯湯した熱量を加熱能力とわき上げ時間から演算し、貯湯タンクから消費した熱量を演算し、貯湯熱量に加減算した熱量を標準的な使用温度に換算して表示するもの（特許文献２）や、貯湯タンクに蓄えることができる最大量と残湯量とを対比表示する手段と、わき上げによって蓄熱しようとする目標蓄熱量と残湯量を対比表示する手段を備え、ユーザに不用意な湯切れの心配をさせないようにしたもの（特許文献３）がある。
【先行技術文献】
【特許文献】
【０００３】
【特許文献１】実開平４−５０３５３号公報
【特許文献２】特開２００７−２１１９９７号公報
【特許文献３】特開２０１０−８４９５９号公報
【発明の概要】
【発明が解決しようとする課題】
【０００４】
しかしながら、上記の従来技術では、わき上げや給湯といったユーザが認知できる機器の動作以外によって残湯量が変化する場合、例えば貯湯タンクから外気への放熱による温度センサ読み値の低下の場合なども、温度センサ読み値の変化に従って残湯量表示を変化させてしまい、ユーザにとっては機器を操作していないのに湯量が変化するという違和感を生じさせる。
【０００５】
本発明はこの課題を解決するためになされたもので、ユーザに違和感のない貯湯式給湯機を提供することを目的とする。
【課題を解決するための手段】
【０００６】
貯湯タンクと、貯湯タンク内の湯水の温度を検出する複数の残湯温度センサと、残湯温
度センサの検出値から、貯湯タンク内の残湯量を演算する残湯量演算手段と、残湯量演算
手段の演算結果を表示する残湯量表示手段と、を備えた貯湯式給湯機であって、残湯量演
算手段は、残湯量センサの検出値が所定の閾値よりも高い場合に残湯有と判断する第１の
判定基準と、残湯量センサの検出値が所定の閾値よりも高い第２の閾値より高い場合に残
湯有と判断する第２の判定基準と、を有するとともに、貯湯式給湯機の動作状態を表示する動作状態表示部を備え、使用者の操作または貯湯式給湯機を使用者が利用することによって、貯湯タンク内の湯量に変化を生じた場合、動作状態表示部にその動作状態を表示するとともに、残湯量演算手段による残湯量の演算に、第１の判定基準を用いるものである。
【発明の効果】
【０００７】
本発明によれば、ユーザに違和感のない貯湯式給湯機を提供することができる。
【図面の簡単な説明】
【０００８】
【図１】本発明の実施の形態１による貯湯式給湯機の回路構成図である。
【図２】本発明の実施の形態１による貯湯式給湯機の電気的構成図である。
【図３】本発明の実施の形態１によるリモコンの構成図である。
【図４】本発明の実施の形態１による残湯量表示と残湯温度センサの検出状態との関係を示す図である。
【図５】本発明の実施の形態１による湯水判定基準を説明する図である。
【図６】本発明の実施の形態１による判定基準切替条件を示す図である。
【発明を実施するための形態】
【０００９】
以下、本発明の貯湯式給湯機の実施の形態について、図面を参照して詳細に説明する。なお、本発明は以下に説明する実施の形態に限定されるものではない。
【００１０】
実施の形態１．
図１は、本発明の貯湯式給湯機の一例を示す概略図である。同図に示す貯湯式給湯機１００は、市水等の低温水を熱源機で湯に沸き上げて所望箇所に給湯する機能や、浴槽１５内に浴水を湯張りし、その浴水を追焚きする機能などを有するものであり、ヒートポンプユニット１とタンクユニット２と制御部４５とを備えている。以下、貯湯式給湯機１００の各構成要素について説明する。
【００１１】
ヒートポンプユニット１は、ヒートポンプユニットケース８内に、冷媒を圧縮する圧縮機３と、放熱器４と、膨張弁５と、蒸発器６と、これらを環状に接続する冷媒配管７とによって構成された冷凍サイクルシステムを有し、熱源機として機能する。上記の冷凍サイクルシステムでは、二酸化炭素等の冷媒が圧縮機３で圧縮されて高温、高圧となった後に放熱器４で放熱し、膨張弁５で減圧され、蒸発器６で吸熱してガス状態となって圧縮機３に吸入される。一方、タンクユニット２は、貯湯タンク１０、給水管路３０、貯湯用循環管路４０、給湯管路５０、１次側循環管路６０、２次側循環管路７０、ふろ用熱交換器１１を有している。
【００１２】
貯湯タンク１０は、給水管路３０から供給される低温水を貯留すると共にヒートポンプユニット１で沸き上げられた湯を貯留する積層式の貯湯タンクである。この貯湯タンク１０の下部には、給水管路３０が接続される水導入口と、貯湯用循環管路４０の配管２０が接続される水導出口とが設けられており、当該貯湯タンク１０の上部には、貯湯用循環管路４０の配管２１が接続される温水導入口と、給湯管路５０が接続される温水導出口とが設けられている。貯湯タンク１０は、常に満水状態に保たれる。また貯湯タンク１０の表面には、１つ以上の残湯温度センサを備える。ここでは貯湯タンク１０上部から下部にかけて高さ方向上下順に残湯温度センサ１０ａ、残湯温度センサ１０ｂ、残湯温度センサ１０ｃ、残湯温度センサ１０ｄを、貯湯タンク１０の所定容量ごとの位置となるように配置し、その検出温度を残湯量の演算に利用する。また、貯湯タンク１０の上部には、わき上げにより加熱された湯水の膨張による圧力上昇を緩和するため、湯水を系外へ逃がすための逃し弁２９が設けられている。
【００１３】
給水管路３０は、市水等の低温水を貯湯タンク１０、給湯管路５０、および所定の給湯先に供給する管路であり、第１〜第３給水管部３０ａ〜３０ｃおよび減圧弁２５を有している。第１給水管部３０ａは水道等の水源と貯湯タンク１０下部の水導入口とを繋ぎ、第２給水管部３０ｂは第１給水管部３０ａから分岐して該第１給水管部３０ａと後述の給湯用混合弁２３，ふろ用混合弁２４とを繋ぎ、第３給水管部３０ｃは第１給水管部３０ａから分岐して該第１給水管部３０ａと所定の給湯先とを繋ぐ。図示の例では、給湯先の例として１つの給湯口２７が示されている。減圧弁２５は、第１給水管部３０ａでの第３給水管部３０ｃの分岐箇所よりも下流側に設けられて、水源水圧を所定値以下となるように減じる。図１においては、給水管路３０での低温水の流れ方向を実線の矢印で示している。
【００１４】
貯湯用循環管路４０は、貯湯タンク１０の水導出口からヒートポンプユニット１中の放熱器４を経由して貯湯タンク１０の温水導入口に達する管路であり、貯湯タンク１０内の湯水を外部へ排出するための排水配管８１側の経路に切替可能な排水栓８０と、わき上げポンプ１９とがこの順に設けられた配管２０と、出湯切替弁２２が設けられた配管２１と、出湯切替弁２２に一端を接続され、他端を貯湯タンク１０の下部に接続されたバイパス管２１ａとを有している。配管２０は水導出口と放熱器４とを繋ぎ、配管２１は放熱器４と温水導入口とを繋ぐ。凍結防止運転時には、貯湯タンク１０から配管２０に流入した水が放熱器４と配管２１を経由しバイパス管２１ａを通って再び貯湯タンク１の下部に流れる。放熱器４により湯を沸上げる沸上げ運転および上記凍結防止運転を可能にするために、配管２１での出湯切替弁２２の上流側にわき上げポンプ１９が設けられている。
【００１５】
給湯管路５０は、貯湯タンク１０に貯留された湯と給水管路３０からの低温水とを給湯用混合弁２３またはふろ用混合弁２４で混合し所定温度の温湯とし、その温湯を浴槽１５や所定の給湯先、図示の例では給湯口２７に供給する管路であり、この給湯用混合弁２３およびふろ用混合弁２４の他に第１〜第３給湯管部５０ａ〜５０ｃを有している。第１給湯管部５０ａは貯湯タンク１０の上部の温水導出口と給湯用、ふろ用混合弁２３，２４とを繋ぎ、第２給湯管部５０ｂはふろ用混合弁２４と２次側循環管路７０のふろ往き管１８とを繋ぎ、第３給湯管部５０ｃは給湯用混合弁２３と給湯口２７とを繋ぐ。また、第２給湯管部５０ｂには、浴槽１５側への経路の開閉を行う、ふろ給湯用電磁弁４４と、内部の湯水の流量を検出するふろ用流量センサ４１が設けられている。また、第３給湯管部５０ｃには、給湯用流量センサ２８が備えられており、流れる湯水の流量を検出可能である。
【００１６】
１次側循環管路６０は、貯湯タンク１０の上部の温水導出口からふろ用熱交換器１１を経由して貯湯タンク１０の下部に達する管路であり、配管１２と、熱源ポンプ１３が設けられた配管１４とを有している。配管１２は貯湯タンク１０の温水導出口とふろ用熱交換器１１上部の熱源側入口１１１とを繋ぎ、配管１４はふろ用熱交換器１１下部の熱源側出口１１２と貯湯タンク１０の下部とを繋ぐ。図示の例では、第１給湯管部５０ａでの貯湯タンク１０側の所定の区間が、配管１２での貯湯タンク１０側の区間を兼ねている。  
【００１７】
２次側循環管路７０は、浴槽１５からふろ用熱交換器１１を経由して再び浴槽１５に戻る管路であり、ふろポンプ１６が設けられたふろ戻り配管１７と、ふろ往き配管１８とを有している。ふろ戻り配管１７は浴槽１５とふろ用熱交換器１１下部のふろ側入口１１３とを繋ぎ、ふろ往き配管１８はふろ用熱交換器１１上部のふろ側出口１１４と浴槽１５とを繋ぐ。ふろ戻り配管１７には、内部の流れの有無を検知するフロースイッチ４７と内部の水圧を検知し、浴槽の水位を検出する水位センサ３９とが設けられている。
【００１８】
ふろ用熱交換器１１は、１次側循環管路６０を流れる湯と２次側循環管路７０を流れる浴水との間で熱交換を行って浴水を加熱するものである。タンクユニット２を構成する上述の構成部材のうち、給水管路３０、貯湯用循環管路４０、給湯管路５０、および２次側循環管路７０の各々は、その一部がタンクユニットケース９の外部にまで延在しており、残りの構成部材は、タンクユニットケース９に納められている。
【００１９】
貯湯式給湯機１００を制御する制御手段として、タンクユニットケース９内に配置された制御部４５と、台所や浴室等に配置されて制御部４５に有線接続または無線接続されたリモコン４６とを有している。制御部４５は、ヒートポンプユニット１、出湯切替弁２２、わき上げポンプ１９、ふろ用混合弁２４、給湯用混合弁２３、熱源ポンプ１３、ふろポンプ１６に接続され、当該制御部４５の入力装置として機能するリモコン４６からユーザが入力した情報や指令等に応じてこれらの動作を制御する。
【００２０】
図２は、本発明における実施の形態１による貯湯式給湯機の電気的構成図である。制御部４５は、残湯温度センサ１０ａ、１０ｂ、１０ｃ、１０ｄと、給湯用流量センサ２８と、ふろ用流量センサ４１と、フロースイッチ４７と水位センサ３９とから電気信号を受信し各物性値に換算する。また、制御部４５は、給湯用混合弁２３と、ふろ給湯用混合弁２４と、ふろ給湯用電磁弁４４と、わき上げポンプ１９と、ふろポンプ１６と、熱源ポンプ１３に電気信号を発信し各部品を駆動させる。また、制御部４５は、リモコン４６と電気通信線により接続され、相互に情報を送受信する。
【００２１】
図３は、本発明における実施の形態１による貯湯式給湯機のリモコンの構成図である。
リモコン４６は、ユーザの操作に対応した各種の設定状態や、その操作によって生じる動作情報などを表示する表示部４６１と、浴槽１５への湯張りを指示するためのふろ自動釦４６４と、浴槽１５内の浴水を追い焚きするための追いだき釦４６５と、図示しないが、給湯口２７へ出湯する湯水の温度を設定する給湯温度設定釦などを備える。また、表示部４６１には、貯湯タンク１０の残湯量情報を表示する残湯量表示部４６２や、貯湯式給湯機１００の動作状態を表示する動作表示部４６３が含まれており、制御部４５から受信する情報に従って表示を行う。
【００２２】
したがって、貯湯式給湯機１００は、リモコン４６からユーザが入力した上述の情報や指令等に基づいて動作する。例えば、リモコン４６からユーザが入力した沸上げ開始時刻になると、制御部４５による制御の下にヒートポンプユニット１およびわき上げポンプ１９が起動されて沸上げ運転が開始され、貯湯タンク１０に設けられた残湯温度センサ１０ａ〜１０ｄの検知結果から所定温度の湯が貯湯タンク１０に所定量貯留されたと判断されるまで継続される。この間、貯湯タンク１０下部の水導出口から貯湯用循環管路４０に低温水が流入し、ヒートポンプユニット１で湯に沸き上げられて貯湯タンク１０上部の温水導入口から該貯湯タンク１０に戻される。なお、わき上げ動作中であることを、動作表示部４６３に表示するようにしてもよい。
【００２３】
また、ユーザが、給湯口２７を開くことにより水圧が開放され、貯湯タンク１０から湯が、減圧弁２５側からは水がそれぞれ給湯混合弁２３に供給され、弁の開度に応じた比で混合された湯が、第３給湯管部５０ｃを通じて給湯口２７に給湯される。給湯流量用センサ２８が所定の流量を検知したとき、動作表示部４６３に給湯動作中であることを表示する。または単に湯を消費中であることを表示してもよい。
【００２４】
また、リモコン４６からユーザが湯はり運転の開始指令を入力すると、制御部４５による制御の下に第２給湯管部５０ｂに設けられたふろ給湯用電磁弁４４が開き、第２給湯管部５０ｂに設けられた温度センサ（図示せず）の検出湯温が、あらかじめリモコン４６からユーザが設定した湯はり湯温となるようにふろ給湯用混合弁２４を制御する。これにより、第２給湯管部５０ｂから２次側循環回路７０を経由して浴槽１５に浴水の供給が開始される。この湯はり運転は、例えば第２給湯管部５０ｂに配置されたふろ用流量センサ４１の検知結果から浴槽１５内の浴水が所定量に達したと判断されると、ふろ給湯用電磁弁４４を閉じ終了する。なお、ふろ用流量センサ４１が所定の流量を検知したとき、動作表示部４６３にふろ給湯動作中であることを表示する。または単に湯を消費中であることを表示してもよい。また、ふろ用流量センサ４１の出力に寄らず、ふろ給湯用電磁弁４４が開状態の間をふろ給湯動作中として表示してもよい。
【００２５】
また、リモコン４６からユーザが追焚き運転の開始指令を入力すると、制御部４５による制御の下に熱源ポンプ１３およびふろポンプ１６が起動されて追焚き運転が開始される。この追焚き運転は、例えばふろ戻り配管１７に配置された温度センサ（図示せず）の検知結果から浴槽１５内の浴水が所定温度にまで加熱されたと判断されるまで継続される。なお、追いだき機能が動作したとき、動作表示部４６３に追いだき動作中であること、または湯を消費中であることを表示してもよい。
【００２６】
また、給水管路３０からの給水を図示しない止水栓等で止めた状態で、逃し弁２９を開き、排水栓８０を排水配管８１が連通する側に開くことにより、逃し弁２９から吸気し、配管２０を経由して貯湯タンク１０内の湯水は排水配管３１を通じて外部に排水される。
【００２７】
次に、本発明の主要な部分である、リモコン４６による残湯量表示部４６２に表示する残湯量の情報について説明する。貯湯タンク１０内に貯湯されている湯水が、湯（残湯）なのか水なのを判断する基準として、給湯可能な温度、例えば４５℃以上の湯を残湯と定義し、この温度以上の湯の量を残湯量とする。各残湯温度センサの位置において、４５℃以上であれば湯、未満であれば水として、これを判定基準とした場合は図４の残湯量表示欄に示すように、残湯温度センサの検出結果に対応して、残湯量表示部４６２に目盛りをもつ絵として表示する。湯はわき上げによって貯湯タンク１０の上部から高温水層として積層されるため、複数の残湯温度センサのうち高い位置に取り付けられたもの、つまり残湯温度センサ１０ａから順に検出温度が湯か水かを判定することで、貯湯タンク１０の上部からどのくらいの量を湯が占めているかを知ることができる。
【００２８】
次に制御部４５で行う残湯量の表示を行うための、湯水判定基準の考え方について説明する。図５の第１の判定基準に示すように、各残湯温度センサの検出温度に対し、湯水閾温度、例えば上述の４５℃付近を第１の湯下限温度と第１の水上限温度とから成るヒステリシスを持たせた判定基準とする。例えば現在の、ある残湯温度センサの読み値が４４℃で水と判定している場合、次の読み値が４５℃では水、その次の読み値が４６℃では湯として判定し、水から湯と判定が変わり、図５の上側のレンジに移行する。このあと、例えば次の読み値が４５℃では湯のままであるが、次の読み値が４４℃になった場合は、図５の下側のレンジに移行し、判定は水となる。
【００２９】
各残湯温度センサの検出温度が上がる主な条件としては、わき上げにより貯湯タンク１０へ湯を供給している場合が挙げられる。貯湯タンク１０内の高温水層が増加することで、残湯温度センサ１０ａから残湯温度センサ１０ｄの順に水判定から湯判定に変化していく。一方、各残湯温度センサの検出温度が下がる主な条件としては、給湯口２７からの出湯、浴槽１５への湯張りや追いだきなどにより湯を消費している場合が挙げられる。貯湯タンク１０内の高温水層が減少することで、残湯温度センサ１０ｄから残湯温度センサ１０ａの順に湯判定から水判定に変化していく。いずれの手段を行っている場合も、ユーザにとっては能動的に操作したことによる動作、もしくはユーザが予めリモコン４６等で設定しておき貯湯式給湯機１００（機器側）が自動で行うことを期待する動作であるので、残湯量表示が変化するのは妥当な現象としてユーザに受け入れられる。
【００３０】
一方、各残湯温度センサの検出温度が下がる場合としては、ユーザが認知できない以下のような場合も挙げられる。ひとつは、貯湯タンク１０から外気へ自然放熱することによる貯湯タンク内部の残湯温度の低下である。この場合、ユーザは「湯を使用していないのに残湯量が減った」と認識し不満足につながる可能性がある。また、貯湯式給湯機を保護する目的で機器がユーザの操作によらず自動で行う動作で、動作状態であることを表示せず、湯も給湯されていないような状態も当てはめることができる。例えば、貯湯用循環管路４０や１次側循環管路６０、２次側循環管路７０等の凍結を防ぐためにわき上げポンプ１９、ふろポンプ１６、熱源ポンプ１３を駆動して貯湯タンク１０内の湯の熱を配管に伝える凍結防止運転や、わき上げ後の高熱となった放熱器４を放置することで水の中のスケール成分が析出するのを防ぐためにわき上げポンプ１９を駆動して冷却するスケール予防運転などである。これらの運転についてもユーザは湯を使用した認識をすることは難しく、同様に不満足につながる可能性がある。
【００３１】
そこで、ユーザが認知できない上記の事象の間は、図５の第２の判定基準で湯水判定を行うことによってユーザが理解しにくい残湯量表示の変化が起こらないようにする。図５の第２の判定基準は、前述の第１の判定基準での第１の湯下限温度以下の温度に第２の湯下限温度を設定するとともに、第１の水上限基準以上の温度となるように第２の水上限温度を設定するものである。このように、各残湯温度センサの検出温度に対し、湯水閾温度、例えば３４℃を第２の湯下限温度、５６℃を第２の水上限温度とするヒステリシスを持たせた判定を行う。ここで、第２の湯下限温度は第１の湯下限温度以下の値（例えば３４℃）に設定する。この値は、残湯量表示が変化しないのが好ましい温度として、例えば予め実機で起こる放熱や自動動作による湯の消費で低下する温度（例えば１０Ｋ）を把握しておき、第１の湯下限温度から引いた値（４４−１０＝３４℃）とするとよい。第２の水上限温度は第１の水上限温度以上の値（例えば５６℃）に設定する。第２の湯下限温度の決め方と同様、残湯量表示が変化しないのが好ましい温度を設定するとよい。ユーザが認知できないような残湯量が減少する動作があり、増加する動作がないと想定される場合は、第２の水上限温度は、第１の水上限温度と等しく設定してもよい。ユーザが認知できないような残湯量が増加する動作があり、減少する動作がないと想定される場合は、第２の湯下限温度は、第１の湯下限温度と等しく設定してもよい。
【００３２】
具体的な例で判定基準での動作を説明すると例えば、第２の判定基準を選択しており、現在の読み値が４５℃で湯と判定している場合に、貯湯タンク１０からの放熱により残湯温度が徐々に３５℃まで低下するとする。残湯温度センサ読み値が４４℃では第１の湯下限温度によって判定しないため湯、４３℃では湯、と続き、３５℃まで放熱しても湯と判定して残湯量表示は変化しない。放熱の想定を超え３４℃まで低下する場合は、水と判定し残湯量表示が変化する。
【００３３】
さらに制御部４５は、以上に示した第１の判定基準と第２の判定基準による残湯量の演算を、状況によって使い分け、残湯量表示部４６２に表示する。すなわち、ユーザによる湯張りや追い焚きなどの操作、または湯の使用など貯湯式給湯機をユーザが利用することによって、貯湯タンク１０内の湯量に変化を生じた場合、動作表示部４６３にその動作状態を表示するとともに、制御部４５による残湯量の演算に第１の判定基準を用いて残湯量表示部４６２に表示するモードに移行し、逆に貯湯式給湯機１００が、貯湯タンク１０内の湯の増減に係わる動作を実行していないときは、制御部４５は、第２の判定基準を用いて残湯量を表示するモードに移行するように制御する。さらに、制御部４５は、第２の判定基準を用いて残湯量を表示するモードに移行している間、ユーザの操作によらず（または、認知できずに）動く機能（上述）が動作したときは、第２の判定基準を用いたままで残湯量を表示するように構成してもよい。これにより、ユーザが認知できる動作の間は第１の判定基準に従って残湯量表示は妥当な変化をし、これらの動作が終了して以降、上記の放熱や凍結予防手段、スケール予防手段が起こった場合は、第２の判定基準に切り替えるため、第１の湯下限温度を下回っても残湯量表示は変化せず、ユーザが違和感をもつような残湯量表示変化を抑制することができる。
【００３４】
また、長期間ユーザが湯の使用に係わる操作などを行わない場合であっても長時間わき上げを行わない（貯湯タンク内の湯が増加しない）場合、貯湯タンク内の湯から外気へ放熱が続き貯湯タンク内の湯の熱量が減少し給湯に用いることができない水になっていくことは、ユーザにとっても自然な現象として受け取られる場合が多い。これに対し、第２の判定基準であった場合も、残湯量が大きく変化することにより第１の判定基準に移行して温度センサ読み値に応じて残湯量を表示するようにしてもよい。これによれば、放熱を続けるにつれ貯湯タンク１０内部の温度が下降し残湯温度センサの読み値が減少することによる残湯量表示の変化は、ユーザにとって妥当な変化として違和感なく受け取られる。
【００３５】
また、所定時間、貯湯タンク１０内の残湯量に変化がない場合、制御部４５は、第２の判定基準を用いて残湯量を判断するモードに移行し、第２の判定基準により貯湯タンク１０の残湯量の変化を検出した場合、第１の判定基準を用いて残湯量を判断するモードに移行するように構成してもよい。これによれば、ユーザが逃し弁２９や排水弁３０を操作することによって貯湯タンク１０内の多量の湯を排水した場合、例え第２の判定基準で残湯量を表示している状態であったとしても、残湯量が大きく変化することにより第１の判定基準に移行して残湯温度センサの読み値が変化し、それに応じて残湯量を表示するので、残湯量表示の変化は、ユーザにとって妥当な変化として違和感なく受け取られる。
【００３６】
なお、上述の実施の形態１では、第１の判定基準や第２の判定基準での湯水の判定温度に、ヒステリシスをもった場合について詳細に述べたが、例えば、第１の判定基準に第１の水上限温度のみを用い、第２の判定基準に第２の水上限温度のみを用いて残湯量を判定して表示するように構成してもよい。これによれば、より簡便な制御でユーザに違和感のない残湯量表示を実現可能となる。
【００３７】
以上のように本発明によれば、残湯量の表示をユーザの使用感に応じた的確な判定基準により判定して表示するので、ユーザに違和感のない貯湯式給湯機を提供することができる。
【符号の説明】
【００３８】
１００  貯湯式給湯機
１  ヒートポンプユニット
２  タンクユニット
１０  貯湯タンク
１０ａ  残湯温度センサ
１０ｂ  残湯温度センサ
１０ｃ  残湯温度センサ
１０ｄ  残湯温度センサ
４５  制御部
４６  リモコン
４６１  表示部
４６２  残湯量表示部
４６３  動作表示部
【図１】
0005831198.tif 000002
【図２】
0005831198.tif 000003
【図３】
0005831198.tif 000004
【図４】
0005831198.tif 000005
【図５】
0005831198.tif 000006
【図６】
0005831198.tif 000007